(57)【要約】【課題】アース棒取付けの構造を簡単にして該アース棒の取付け作業を簡易にする。【解決手段】鉄塔のアーム部材から張出し状に取付けられた複数の碍子部材７、碍子部材７の由端を連結する結合板部８、結合板部８に装設され送電線を支持する懸垂クランプ９とを備えた碍子懸垂装置６に装設されるアース棒取付け具１であって、棒状に形成された本体部２を主体として形成され、本体部２は、先端部位を斜状に曲折した曲折部３、後端部を締着用のねじ軸部４、曲折部３とねじ軸部４との間をアース棒取付け用の取付け軸部５とからなり、結合板部８に複数個の取付け孔１０を貫設するとともに、選択された取付け孔１０に本体部２のねじ軸部４を挿通してねじ軸部４に螺合するナット部材１１により取外し可能に締着する。【選択図】図１
2011234592.tif 000002
【特許請求の範囲】
【請求項１】
鉄塔のアーム部材から張出し状に取付けられた複数の碍子と、この碍子の自由端を連結する結合板部と、該結合板部に装設され送電線を支持する懸垂クランプとを備えた碍子懸垂装置に装設されるアース棒取付け具であって、棒状に形成された本体部を主体として形成され、この本体部は、先端部位を斜状に曲折した曲折部と、後端部を締着用のねじ軸部と、前記曲折部と前記ねじ軸部との間をアース棒取付け用の取付け軸部とからなり、前記結合板部に複数個の取付け孔を貫設するとともに、該選択された取付け孔に本体部のねじ軸部を挿通して該ねじ軸部に螺合するナット部材により取外し可能に締着したことを特徴とする鉄塔におけるアース棒取付け金具。
【請求項２】
請求項１記載の鉄塔におけるアース棒取付け具であって、前記本体部の後端部には取付け孔が貫設された取付け板が形成され、この取付け板を前記結合板部に当接して両取付け孔に挿通されるボルト・ナット部材により取外し可能に締着したことを特徴とする鉄塔におけるアース棒取付け金具。
【発明の詳細な説明】
【技術分野】
【０００１】
本発明は、例えば、送電線の鉄塔において、該送電線を支持する碍子懸垂装置、例えば、長幹碍子Ｖ吊懸垂装置の一部にアース棒（単に、アースともいう。）を取付けるための鉄塔におけるアース棒の取付け金具に関する。
【背景技術】
【０００２】
一般に、鉄塔において、送電線を支持する碍子懸垂装置、例えば、長幹碍子Ｖ吊懸垂装置においてはアース棒等のアース手段が取付（組付）けられるものであり、そのアース手段の取付けにあっては、その碍子懸垂装置の特有の狭い空間部内において取付けられるものである。
このアース棒等のアース手段の取付け構成については、作業現場において適宜に行われている手段であって、特許文献としては特に未調査である。
【発明の概要】
【発明が解決しようとする課題】
【０００３】
しかしながら、上記した一般に実施されているアース棒等のアース手段の取付けにあっては、その碍子懸垂装置の特有の狭い空間部内において取付けられるものであるから、その構成が複雑化したりして、その取付け作業が面倒かつ煩わしいものとなっており、作業者間においては、アース棒の取付けが簡単かつ容易になし得る構造のものが強く希求されていた。
そこで、本発明は、このような問題点に鑑み、この種のアース棒取付けの構造を簡単にして該アース棒の取付け作業を簡易にすることができる鉄塔におけるアース棒取付け金具を提供することを課題とする。
【課題を解決するための手段】
【０００４】
上記した課題は、各請求項記載の発明によって解決される。
すなわち、請求項１に係る発明は、鉄塔のアーム部材から張出し状に取付けられた複数の碍子部材と、この碍子部材の自由端を連結する結合板部と、該結合板部に装設され送電線を支持する懸垂クランプとを備えた碍子懸垂装置に装設されるアース棒取付け具であって、棒状に形成された本体部を主体として形成され、この本体部は、先端部位を斜状に曲折した曲折部と、後端部を締着用のねじ軸部と、前記曲折部と前記ねじ軸部との間をアース棒取付け用の取付け軸部とからなり、前記結合板部に複数個の取付け孔を貫設するとともに、該選択された取付け孔に本体部のねじ軸部を挿通して該ねじ軸部に螺合するナット部材により取外し可能に締着したことを要旨とする。
【０００５】
この構成によれば、曲折部とねじ軸部と取付け軸部とからなる本体部全体を碍子懸垂装置に結合板部に対し突出状態で簡単に締着することができ、この種のアース棒取付け金具自体の構造を簡単にして該アース棒の取付け作業を簡易にすることができる。
【０００６】
請求項２に記載の発明は、請求項１記載の鉄塔におけるアース棒取付け具であって、前記本体部の後端部には取付け孔が貫設された取付け板が形成され、この取付け板を前記結合板部部に当接して両取付け孔に挿通されるボルト・ナット部材により取外し可能に締着したことを要旨とする。
【０００７】
この構成によれば、アース棒取付け具の本体部における取付け板を介して碍子懸垂装置の結合板部に締着するものであるから、その取付け（装設）状態を強固になし得るとともに、その維持を確実になし得るものである。
【発明の効果】
【０００８】
請求項１記載の発明においては、アース棒取付け金具自体の構造を簡単にして該アース棒の取付け作業を簡易にすることができる。
【０００９】
請求項２記載の発明によれば、アース棒の取付け（装設）状態を強固になし得るとともに、その維持を確実にできる。
【図面の簡単な説明】
【００１０】
【図１】アース棒の取付け金具の全体を示す正面図である。
【図２】アース棒の取付け金具の装設状態を略示する正面図である。
【図３】同じくアース棒の取付け金具の装設状態を略示する側面図である。
【図４】アース棒の取付け金具の別例を示す正面図である。
【発明を実施するための形態】
【００１１】
次に、本発明を実施するための最良の形態について、図面にしたがって説明する。
図１はアース棒の取付け金具の全体を示す正面図である。図２はアース棒の取付け金具の装設状態を略示する正面図である。図３はアース棒の取付け金具の装設状態を略示する側面図である。図４はアース棒の取付け金具の別例を示す正面図である。
図１に示すように、本例のアース棒の取付け金具１は、所定の長さに形成され、かつ断面円形の棒状に形成された本体部２を主体として構成され、この本体部２は、その先端部位を斜状（約４０度から４５度）に曲折した曲折部３と、後端部を締着用のねじ軸部４と、前記曲折部３と前記ねじ軸部４との間をアース棒取付け用の取付け軸部５となして形成されている。
【００１２】
上記のように構成されたアース棒の取付け金具１を鉄塔（図示しない）の碍子懸垂装置６に装設する場合について説明すると、まず、この碍子懸垂装置６は、図２、３に示すように、鉄塔（図示しない）のアーム部材Ｗ１に対し、その一端部が張出し状（例えば、ほぼＶ字状）に取付けられた複数（図では２本の場合を示す）の碍子部材７、７と、この碍子部材７、７の自由端（下端）をそれぞれ連結、結合する結合板部８と、該結合板部８の下端部に装設され送電線Ｗを挟持状態で支持する懸垂クランプ９とを備えて構成されている。
また、前記結合板部８には複数個の取付け孔１０〜１０が貫設されている。
【００１３】
そして、実際の装設に際しては、前記碍子懸垂装置６の結合板部８に対し、該結合板部８における選択された一つの取付け孔１０に本体部２のねじ軸部４を挿通して該ねじ軸部４に螺合するナット部材１１、すなわち、結合板部８を該ナット部材１１によって挟んだ（挟持）した状態で取外し可能に締着することにより、アース棒の取付け金具１全体を碍子懸垂装置６の結合板部８に対して装設することができ、このアース棒の取付け金具１における本体部２の取付け軸部５に種々構造のアース棒（図示しない）の一端部が取付け金具（図示しない）を介して取付けられるものである。
【００１４】
上記のようにして、アース棒の取付け金具１における本体部２を碍子懸垂装置６の結合板部８に対し突出状態で簡単に締着することができ、この種のアース棒取付け金具１自体の構造を簡単にして該アース棒の取付け作業を簡易にすることができる。
【００１５】
そして、本発明の別の実施例におけるアース棒の取付け金具１を図４について説明すると、この場合は、取付け金具１における本体部２のねじ軸部４を排除してその軸端部（後端部）に平板状の取付け板１２を該本体部２と直交する方向に固着し、この取付け板１２に複数個（図では２個の場合を示す）の取付け孔１３が貫設されて構成されている。
このように構成されたアース棒の取付け金具１の取付け板１２を碍子懸垂装置６の結合板部８に装設する場合には、取付け金具１の本体部２に固着した取付け板１２を結合板部８に当接して重合させ、この取付け板１２及び結合板部８の両取付け孔１３、１０に挿通されるボルト・ナット部材１４によって該結合板部８挟んだ（挟持）した状態で取外し可能に締着して、アース棒の取付け金具１全体を碍子懸垂装置６の結合板部８に対して装設することができ、前記したと同様に、このアース棒の取付け金具１における本体部２の取付け軸部５に種々構造のアース棒（図示しない）の一端部が取付け金具（図示しない）を介して取付けられるものである。
【００１６】
この実施例にあっては、アース棒の取付け具１の本体部２における取付け板１２を介して碍子懸垂装置６の結合板部８に締着するものであるから、その取付け（装設）状態を強固になし得るとともに、その維持を確実になし得るものである。
【００１７】
そして、上記実施例において、本体部２の先端部位を斜状（約４０度から４５度）に曲折した曲折部３が形成されているため、取付け軸部５に取付けられた種々構造のアース棒の一端部の取付け金具が弛緩等して該先端部位からそのまま抜脱することを未然に防止するものである。
【００１８】
なお、上記した実施例において、碍子懸垂装置６の構成は図示のものに限定するものではない。
【００１９】
また、上記した各部材自体の構成及び各部材間の組付け構成は、本発明の発明の主旨を逸脱しない範囲において種々変更が可能である。
【符号の説明】
【００２０】
１  取付け金具
２  本体部
３  曲折部
４  ねじ軸部
５  取付け軸部
６  碍子懸垂装置
【図１】
2011234592.tif 000003
【図２】
2011234592.tif 000004
【図３】
2011234592.tif 000005
【図４】
2011234592.tif 000006